(57)【要約】【課題】複数台の携帯端末装置を連係させて動作させる場合に、状況に応じて連係動作開始のタイミングや連係動作の種類を任意選べるようにした。【解決手段】マスター端末１ａは、ネットワーク１００経由でサーバ７１にアクセスし、スレーブ端末設定機能７２により、設定データ７３及び音データ７４の作成を行い、音データ７４をダウンロードする。各スレーブ端末１ｂは、サーバ７１から設定データ７３をダウンロードし、自装置に設定する。それにより、音認識機能によりマイクからどの音を検出したときに、どの動作を実行するかが各スレーブ端末１ｂ内に設定される。各スレーブ端末１ｂを連係動作させる時は、マスター端末１ａの着信音設定機能やメロディプレイヤー機能による音データ７４の再生音を、各スレーブ端末１ｂが認識し所定の動作を実行する。それにより、スレーブ端末１ｂ間での連係動作を実現する。【選択図】      図２
2007228111.tif 000002
【特許請求の範囲】
【請求項１】
複数の携帯端末装置を連係して動作させる連係動作制御方法であって、
前記複数の携帯端末装置の１つをマスター端末とし、他はスレーブ端末とし、
前記マスター端末では、予め定めた特定の音をスピーカーから再生させ、
前記スレーブ端末では、マイクから入力された音が前記特定の音と認識した場合に、その特定の音に関連づけて予め設定された特定の動作を実行することを特徴とする携帯端末装置の連係動作制御方法。
【請求項２】
複数の携帯端末装置を連係して動作させる連係動作制御方法であって、
前記複数の携帯端末装置の１つをマスター端末とし、他はスレーブ端末とし、
予め定めた特定の音を前記マスター端末のスピーカーから発生させる工程と、
前記スレーブ端末においてマイクから入力された音が前記特定の音と認識した場合に、その特定の音に関連づけて予め設定された特定の動作を実行する工程と、
を備えたことを特徴とする携帯端末装置の連係動作制御方法。
【請求項３】
前記マスター端末が、ネットワークを介してサーバにアクセスし、前記特定の音と前記特定の動作とに関する情報を登録する工程を更に含むことを特徴とする請求項２記載の携帯端末装置の連係動作制御方法。
【請求項４】
前記スレーブ端末が、ネットワークを介してサーバにアクセスし、前記特定の音と前記特定の動作とに関する情報をダウンロードする工程を更に含むことを特徴とする請求項３記載の携帯端末装置の連係動作制御方法。
【請求項５】
前記マスター端末が、前記登録工程の後に登録した前記特定の音を再生する為の音データを前記サーバからダウンロードする工程を更に含むことを特徴とする請求項３記載の携帯端末装置の連係動作制御方法。
【請求項６】
前記特定の動作がカメラ機能による撮影であることを特徴とする請求項２乃至５の何れか１つに記載の携帯端末装置の連係動作制御方法。
【請求項７】
前記特定の動作がディスプレイへの情報表示であることを特徴とする請求項２乃至５の何れか１つに記載の携帯端末装置の連係動作制御方法。
【請求項８】
前記特定の音が複数登録され、それぞれに音階及び時間が設定されることによりメロディを構成することを特徴とする請求項２乃至５の何れか１つに記載の携帯端末装置の連係動作制御方法。
【請求項９】
前記特定の音が、前記マスター端末において録音された音であることを特徴とする請求項２乃至５の何れか１つに記載の携帯端末装置の連係動作制御方法。
【請求項１０】
前記特定の音が言葉であり、前記スレーブ端末では、入力された音を音声認識機能により前記言葉と一致するか否かを判定することを特徴とする請求項２乃至５の何れか１つに記載の携帯端末装置の連係動作制御方法。
【請求項１１】
複数の携帯端末装置を連係して動作させる連係動作制御方式であって、
前記複数の携帯端末装置の１つをマスター端末とし、他はスレーブ端末とし、
前記マスター端末は、予め定めた特定の音を発生させるスピーカーと、
前記スレーブ端末は、マイクから入力された音が前記特定の音と認識した場合に、その特定の音に関連づけて予め設定された特定の動作を実行する制御部と、
を備えたことを特徴とする携帯端末装置の連係動作制御方式。
【請求項１２】
ネットワークに接続したサーバを更に含み、
前記マスター端末は、前記サーバにアクセスして、前記特定の音と前記特定の動作とに関する情報を登録する手段を備えたことを特徴とする請求項１１記載の携帯端末装置の連係動作制御方式。
【請求項１３】
前記スレーブ端末は、前記サーバにアクセスして、前記特定の音と前記特定の動作とに関する情報をダウンロードする手段を備えたことを特徴とする請求項１２記載の携帯端末装置の連係動作制御方式。
【請求項１４】
前記マスター端末は、登録した前記特定の音を再生する為の音データを前記サーバからダウンロードする手段を備えたことを特徴とする請求項１２記載の携帯端末装置の連係動作制御方式。
【請求項１５】
前記特定の動作がカメラ機能による撮影であることを特徴とする請求項１１乃至１４の何れか１つに記載の携帯端末装置の連係動作制御方式。
【請求項１６】
前記特定の動作がディスプレイへの情報表示であることを特徴とする請求項１１乃至１４の何れか１つに記載の携帯端末装置の連係動作制御方式。
【請求項１７】
前記特定の音が複数登録され、それぞれに音階及び時間が設定されることによりメロディを構成することを特徴とする請求項１１乃至１４の何れか１つに記載の携帯端末装置の連係動作制御方式。
【請求項１８】
前記特定の音が、前記マスター端末において録音された音であることを特徴とする請求項１１乃至１４の何れか１つに記載の携帯端末装置の連係動作制御方式。
【請求項１９】
前記特定の音が言葉であり、前記スレーブ端末では、入力された音を音声認識機能により前記言葉と一致するか否かを判定することを特徴とする請求項１１乃至１４の何れか１つに記載の携帯端末装置の連係動作制御方式。
【請求項２０】
ネットワークに接続されたサーバ及び複数の携帯端末装置を含み、これら携帯端末装置を連係して動作させる携帯端末装置の連係動作制御方式であって、
前記複数の携帯端末装置の１つをマスター端末とし、他はスレーブ端末とし、
前記マスター端末は、
前記サーバにアクセスして、予め定めた特定の音に関する情報と、この特定の音に応答して前記スレーブが実行すべき特定の動作に関する情報とを登録する手段と、
前記特定の音をスピーカから再生させる手段と、
を備え、
前記スレーブ端末は、
前記サーバにアクセスして、前記特定の音と前記特定の動作とに関する情報をダウンロードする手段と、
マイクから入力された音が前記特定の音と一致するかを認識する手段と、
認識結果が前記特定の音と判定した場合に前記特定の動作を実行する手段と、
を備えた、
ことを特徴とする携帯端末装置の連係動作制御方式。
【発明の詳細な説明】
【技術分野】
【０００１】
本発明は複数の携帯端末装置を連係させてその動作を制御する連係動作制御方式及び連係動作制御方法に関する。
【背景技術】
【０００２】
近年、非常に多くの人が携帯電話等の携帯端末装置を所有している。しかし、これらの携帯端末装置は個人所有が大部分を占め、プライベートな情報を多く含んでいるため、他の携帯端末装置と連動させ制御することはほとんどない。携帯電話等の端末は益々高機能化し、様々なことを行えるようになってきている現在、複数台連動させることによって、新たな携帯電話の活用方法、サービスが実現できると考えられる。
【０００３】
例えば、結婚披露宴や二次会などのパーティで大勢の人が集まった場合、携帯電話は個々がそのカメラ機能で写真撮影するだけに使用される場合が多い。１台ではそのような使い方しかできないが、複数台連動させた場合は違った使い方が可能となる。いろいろな場所から同時に写真が撮影できたり、連続写真を撮ることができたり、複数台のディスプレイを使用してメッセージを表示させたりできるので、パーティの雰囲気を盛り上げる演出が可能となる。
【０００４】
特開平２００３−５９４７号公報（特許文献１）には、携帯電話の連動技術が開示されている。
【０００５】
【特許文献１】特開平２００３−５９４７号公報（図１、図４、図１４）
【発明の開示】
【発明が解決しようとする課題】
【０００６】
特許文献１の技術では、リーダー端末からサーバに対してセッションを登録し、サ−バから参加者端末にコンテンツを配信して、複数の参加者端末の表示動作等を連係させている。ここで参加者端末は、連係動作を同期させる為に、予めタイミング制御手続を行なう必要がある（特許文献１の図１４）。これは、ＧＰＳ（Ｇｌｏｂａｌ  Ｐｏｓｉｔｉｏｎｉｎｇ  Ｓｙｓｔｅｍ）等を用いて行うので、複雑な処理を必要とする。更に、一度サーバから各参加端末に動作実行指定時刻が配信されてしまうと変更が出来ない。上述のように連係動作を利用してパーティの雰囲気を盛り上げようとするときに、その場のイベント等の進行状況に応じて連係動作実行開始のタイミングを変えることは困難である。即ち、現場で連係機能を実行するタイミングに全く柔軟性を持たせることが出来ないという課題がある。仮に、急に時刻変更が必要となった場合に再度サーバにアクセスして変更が可能としても、その場での操作が煩雑であり、もし会場が地下等の電波状況の悪い場所であればサーバへのアクセスやサーバからの再配信も出来ない。
【０００７】
本発明の目的は、このような従来の課題を解決する携帯端末装置の連係動作制御方式及び連係動作制御方法を提供することにある。
【課題を解決するための手段】
【０００８】
本発明は、複数の携帯端末装置を連係して動作させる連係動作制御方法であって、前記複数の携帯端末装置の１つをマスター端末とし、他はスレーブ端末とし、前記マスター端末では、予め定めた特定の音をスピーカーから再生させ、前記スレーブ端末では、マイクから入力された音が前記特定の音と認識した場合に、その特定の音に関連づけて予め設定された特定の動作を実行することを特徴とする。
【０００９】
又、本発明は、複数の携帯端末装置を連係して動作させる連係動作制御方法であって、前記複数の携帯端末装置の１つをマスター端末とし、他はスレーブ端末とし、予め定めた特定の音を前記マスター端末のスピーカーから発生させる工程と、前記スレーブ端末においてマイクから入力された音が前記特定の音と認識した場合に、その特定の音に関連づけて予め設定された特定の動作を実行する工程と、を備えたことを特徴とする。
【００１０】
又、本発明の携帯端末装置の連係動作制御方法において、前記マスター端末が、ネットワークを介してサーバにアクセスし、前記特定の音と前記特定の動作とに関する情報を登録する工程を更に含むようにしても良い。
【００１１】
又、本発明の携帯端末装置の連係動作制御方法において、前記スレーブ端末が、ネットワークを介してサーバにアクセスし、前記特定の音と前記特定の動作とに関する情報をダウンロードする工程を更に含むようにしても良い。
【００１２】
又、本発明の携帯端末装置の連係動作制御方法において、前記マスター端末が、前記登録工程の後に登録した前記特定の音を再生する為の音データを前記サーバからダウンロードする工程を更に含むようにしても良い。
【００１３】
又、本発明の携帯端末装置の連係動作制御方法において、前記特定の動作がカメラ機能による撮影であっても良い。
【００１４】
又、本発明の携帯端末装置の連係動作制御方法において、前記特定の動作がディスプレイへの情報表示であっても良い。
【００１５】
又、本発明の携帯端末装置の連係動作制御方法において、前記特定の音が複数登録され、それぞれに音階及び時間が設定されることによりメロディを構成するようにしても良い。
【００１６】
又、本発明の携帯端末装置の連係動作制御方法において、前記特定の音が、前記マスター端末において録音された音であっても良い。
【００１７】
又、本発明の携帯端末装置の連係動作制御方法において、前記特定の音が言葉であり、前記スレーブ端末では、入力された音を音声認識機能により前記言葉と一致するか否かを判定するようにしても良い。
【００１８】
本発明は、複数の携帯端末装置を連係して動作させる連係動作制御方式であって、前記複数の携帯端末装置の１つをマスター端末とし、他はスレーブ端末とし、前記マスター端末は、予め定めた特定の音を発生させるスピーカーと、前記スレーブ端末は、マイクから入力された音が前記特定の音と認識した場合に、その特定の音に関連づけて予め設定された特定の動作を実行する制御部と、を備えたことを特徴とする。
【００１９】
又、本発明の携帯端末装置の連係動作制御方式において、ネットワークに接続したサーバを更に含み、前記マスター端末は、前記サーバにアクセスして、前記特定の音と前記特定の動作とに関する情報を登録する手段を備えても良い。
【００２０】
又、本発明の携帯端末装置の連係動作制御方式において、前記スレーブ端末は、前記サーバにアクセスして、前記特定の音と前記特定の動作とに関する情報をダウンロードする手段を備えても良い。
【００２１】
又、本発明の携帯端末装置の連係動作制御方式において、前記マスター端末は、登録した前記特定の音を再生する為の音データを前記サーバからダウンロードする手段を備えても良い。
【００２２】
又、本発明の携帯端末装置の連係動作制御方式において、前記特定の動作がカメラ機能による撮影であっても良い。
【００２３】
又、本発明の携帯端末装置の連係動作制御方式において、前記特定の動作がディスプレイへの情報表示であっても良い。
【００２４】
又、本発明の携帯端末装置の連係動作制御方式において、前記特定の音が複数登録され、それぞれに音階及び時間が設定されることによりメロディを構成するようにしても良い。
【００２５】
又、本発明の携帯端末装置の連係動作制御方式において、前記特定の音が、前記マスター端末において録音された音であっても良い。
【００２６】
又、本発明の携帯端末装置の連係動作制御方式において、前記特定の音が言葉であり、前記スレーブ端末では、入力された音を音声認識機能により前記言葉と一致するか否かを判定するようにしても良い。
【００２７】
本発明は、ネットワークに接続されたサーバ及び複数の携帯端末装置を含み、これら携帯端末装置を連係して動作させる携帯端末装置の連係動作制御方式であって、前記複数の携帯端末装置の１つをマスター端末とし、他はスレーブ端末とし、前記マスター端末は、前記サーバにアクセスして、予め定めた特定の音に関する情報と、この特定の音に応答して前記スレーブが実行すべき特定の動作に関する情報とを登録する手段と、前記特定の音をスピーカから再生させる機能と、を備え、前記スレーブ端末は、前記サーバにアクセスして、前記特定の音と前記特定の動作とに関する情報をダウンロードする手段と、マイクから入力された音が前記特定の音と一致するかを認識する手段と、認識結果が前記特定の音と判定した場合に前記特定の動作を実行する手段と、を備えたことを特徴とする。
【発明の効果】
【００２８】
本発明によれば、マスター端末から発生する音で連係動作を制御しているので、複雑な同期処理も必要とせず、電波状態にも左右されず、携帯端末装置の連係動作開始のタイミングをその場の状況判断に応じて任意に選べるという柔軟性を有する。又、スレーブ端末に実行させたい連係動作を予め複数種類準備しておいて、コマンドとなる音をその場の状況に応じてマスター端末から適宜選択して発生させることが出来るので、その場の状況や雰囲気に合わせた連係動作を選択出来る。
【発明を実施するための最良の形態】
【００２９】
次に、本発明を実施するための最良の形態について図面を参照して詳細に説明する。図１に、本発明の一実施形態に使用される携帯端末装置１の構成を示す。携帯端末装置１は、無線制御部１１と、キー入力部１２と、アンテナ１３と、マイク１４と、スピーカー１５と、カメラ１６と、ディスプレイ１７と、Ａ／Ｄコンバータ１８と、メモリ部１９と、中央処理装置２０とを備えている。
【００３０】
無線制御部１１とアンテナ１３は、携帯端末装置１から無線基地局を介してインターネットや移動交換網等のネットワーク上のウェブサイトにアクセスするために使用される。キー入力部１２は、利用者が情報を入力する為に使用される。マイク１４は、外部の音を拾うために使用される。スピーカー１５は、音を発生させて外部に伝達するために使用される。カメラ１６は、外部の映像を記録する為の撮像デバイスである。ディスプレイ１７は、外部に伝える情報を表示するために使用される。Ａ／Ｄコンバータ１８は、マイク１４で外部から拾った音をアナログ信号からデジタル信号に変換するために使用される。メモリ部１９には、各種プログラムやデータが記憶されている。中央処理装置２０は、マイクロプロセッサ等で実現され、メモリ部１９から必要なプログラムやデータを読み出し、かつ、上述の各部とデータのやり取りを行い、携帯端末装置１の各部の動作を制御する制御部（制御手段）として機能する。本発明の一実施形態においては、中央処理装置２０がアプリケーションプログラムを実行することで、図１に示すように、ウェブアクセス機能（手段）３１、音認識機能（手段）３２を実現している。
【００３１】
図２に本発明の一実施形態で使用するシステム全体の構成図を示す。複数台の携帯端末装置１のうち、１台がマスター端末１ａとなる。その他の携帯端末装置はスレーブ端末１ｂとなる。マスター端末１ａとスレーブ端末１ｂは同一構成で良い。ネットワーク側は、携帯端末装置１と無線通信する複数の無線基地局５０と、この無線基地局５０を制御する交換機６０と、この交換機６０とＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）などのネットワーク１００を介して接続されたサーバ７１とを備えている。サーバ７１には、通常良く知られるように、ネットワーク１００との通信の為のインタフェース機能部と、各種データやプログラムを記憶するメモリ部と、各部の動作を制御する中央処理装置（プロセッサ等）を含んでいる。サーバ７１において、中央処理装置がプログラムを実行することにより、スレーブ端末設定機能７２が実現されている。スレーブ端末設定機能７２により、各スレーブ端末用の設定データ７３やスレーブ端末制御用の音データ７４の作成やダウンロードが可能になっている。
【００３２】
マスター端末１ａは、無線基地局５０、交換機６０、ネットワーク１００を経由して、サーバ７１にアクセスし、設定データ７３及び音データ７４の作成を行い、音データ７４をダウンロードする。マスター端末１ａは、ダウンロードした音データ７４を着信音設定機能やメロディプレイヤー機能により再生することにより、スピーカー１５から音を発生させる。
【００３３】
一方、スレーブ端末１ｂは、同様にサーバ７１にアクセスし、設定データ７３をダウンロードし、自装置に設定する。それにより、音認識機能３２によりマイク１４からどの音を検出したときに、どの動作を実行するかが各スレーブ端末１ｂ内に設定される。
【００３４】
実際に各スレーブ端末１ｂを連係動作させる時は、マスター端末１ａが発生した音を各スレーブ端末１ｂが認識し所定の動作を実行する。それにより、スレーブ端末１ｂ間での連係動作を実現する。以上が全体の概要動作である。
【００３５】
次に、本発明を実施するための最良の形態の詳細動作について図３を用いて説明する。まず、連係動作させたい携帯端末装置１を複数台用意する。そのうち一台をマスター端末１ａに決め、それ以外の端末をスレーブ端末１ｂとする。次に、マスター端末１ａは、スレーブ端末１ｂの動作設定、それを実行させる為の音の決定、及び音データ７４のダウンロードを行う。即ち、マスター端末１ａは、中央処理装置２０により実現されるウェブアクセス機能３１を使用し、無線制御部１１、アンテナ１３を介し、無線基地局５０と交換機６０を通してネットワーク１００に接続し、サーバ７１にアクセスする（ステップＳ３０１）。
【００３６】
サーバ７１にアクセスしたマスター端末１ａは、キー入力部１２とディスプレイ１７を使用し、ウェブの画面上において必要なデータを入力する。まず、スレーブ端末１ｂの数及び各々のスレーブ端末１ｂを特定するのに必要なＩＤ情報（例えば、電話番号）を入力する。その後に、それぞれのスレーブ端末１ｂについて、どのような「特定の音」を認識した際に、どのような動作を、どのようなタイミングで実行するかを選択し入力する（ステップＳ３０２）。
【００３７】
例えば、スレーブ端末１ｂの動作として、「カメラで撮像する」動作を設定する場合には、その動作をどのようなタイミングで動作させるか設定する。例えば、「特定の音に対して同時に動作する」、「特定の音に対して数秒後に動作する」、といった設定を行う。これは、１つのスレーブ端末１ｂの１つの動作に対して１つの音を「特定の音」として割り当てても良いし、スレーブ端末相互間や動作相互間で共通の音を「特定の音」と割り当てても良い。
【００３８】
複数のスレーブ端末で同じ動作に同じ音を「特定の音」として設定した場合には、１つの「特定の音」をマスター端末１ａから発生すれば、各スレーブ端末１ｂは一斉に同じ動作をすることになる。また、同じ「特定の音」に対して、複数のスレーブ端末１ｂで異なる動作、タイミングを割り当てても良い。即ち、この場合には、１つの「特定の音」をマスター端末１ａから発生すれば、あるスレーブ端末１ｂではある動作を実行し、別のスレーブ端末１ｃでは別の動作をすることになる。これにより、各スレーブ端末１ｂが、予め設定された「特定の音」を認識した場合に様々な動作を様々なタイミングで実行できるようになる。「特定の音」の決定方法、即ち、識別する特徴としては、例えば、音階（周波数）だけでも良いし、更に、時間的長さなどを適宜組み合わせて音符形式としても良い。後述するように、他にも色々なバリエーションが考えられる。スレーブ端末１ｂの数が増えたり、連係動作が複雑になると、「特定の音」も複数決定する必要があり、再生時には断続した複数の音となる。従って、音階や長さを調節してメロディとして聞こえるようにしても良い。
【００３９】
これらの設定の登録により、サーバ７１ではマスター端末１ａに提供する音を決定し、音データ７４を作成する（ステップＳ３０３）。１つの「特定の音」に対して全てのスレーブ端末１ｂが動作する設定の場合は１つの音となる。又、スレーブ端末１ｂによって異なる「特定の音」で動作させる場合は複数の音をタイミングに合わせて組み合わせたメロディの音データ７４となる。更にこの設定により、サーバ７１では個々のスレーブ端末１ｂに設定するための設定データ７３を作成する（ステップＳ３０４）。即ち、どの音を認識すべきか、その音を認識した時にどのタイミングで、どのような動作をするか、という詳細な設定データ７３を必要なスレーブ端末１ｂの数だけ個々に作成する。
【００４０】
マスター端末１ａは、サーバ７１から音データ７４をダウンロードする（ステップＳ３０５）。ダウンロードした音データ７４は、マスター端末１ａの着信音として設定したり、メロディプレイヤー機能で再生できるように設定しておく（ステップＳ３０６）。
【００４１】
次に、各スレーブ端末１ｂが、中央処理装置２０やメモリ部１９で実現されるウェブアクセス機能３１を使用し、無線制御部１１、アンテナ１３を介し、無線基地局５０と交換機６０を通してネットワーク１００に接続し、サーバ７１にアクセスする（ステップＳ３０７）。スレーブ端末１ｂは、マスター端末１ａがサーバ７１にアクセスした際に作成した各スレーブ端末用の個別の設定データ７３のうち、自端末用に作成された設定データ７３をダウンロードする（ステップＳ３０８）。そして、スレーブ端末１ｂは、ダウンロードした設定データ７３をメモリ部１９に保存し、端末内に設定する（ステップＳ３０９）。スレーブ端末１ｂの音認識機能３２には、ダウンロードした設定データ７３から「特定の音」を認識する為のデータが設定される。更に、中央処理装置２０は、音認識機能３２が「特定の音」を検出した場合に、必要な各部の動作（例えば、カメラ１６で撮像する、ディスプレイ１７に映像、文字を表示する等）を制御するようにデータを設定する。尚、スレーブ端末１ｂの連係動作において必要なコンテンツ（映像データ等）も設定データ７３に含まれている。以上でマスター端末１ａ及び各スレーブ端末１ｂ内の設定が完了となる。
【００４２】
連係動作の実行の際には、スレーブ端末１ｂはそれぞれの設置場所に配置され、アプリケーションプログラムを立ち上げ、音認識可能な状態にしておく。また、マスター端末１ａはスピーカー１５から流れる音やメロディをスレーブ端末１ｂが拾える場所に設置される。スレーブ端末１ｂの連係動作開始時には、ダウンロードした音やメロディをマスター端末１ａで鳴動させる。マスター端末１ａのスピーカー１５から流れる音やメロディをスレーブ端末１ｂのマイク１４が拾い、Ａ／Ｄコンバータ１８でアナログ信号からデジタル信号に変換する。そのデータにより入力された音の基本周波数を抽出し、音階に割り出す等の手法を用い、音認識機能３２で設定されている「特定の音」かどうかマッチングを取る。それが設定データ７３により設定されている「特定の音」と認識した場合、スレーブ端末１ｂは設定されている動作を行う。例えば、カメラ１６で撮像するように設定されている場合はカメラのシャッター機能（ＣＣＤの撮像機能も含む）が動作し、いろいろな方向から同時に写真をとることができたり、連続写真を写真をとることができる。
【００４３】
本発明の機能を実現するためのアプリケーションプログラムは、予め携帯端末装置１に組み込んであるネイティブアプリケーションの他、ＪＡＶＡ（登録商標）などでも実現可能であり、必要に応じてダウンロードして使用できる。これらは、例えば、音認識結果に応じて、携帯端末装置内のハードウェア等（カメラ、ディスプレイ他）を制御するプログラムである。
【００４４】
以上説明したように、本発明によれば、マスター端末から音を発することで連係動作を制御出来るので、連係動作開始のタイミングをその場の状況判断に応じて任意に選べるという柔軟性を有する。また、スレーブ端末に実行させたい連係動作に関する設定データ及び音データを予め複数種類準備（ダウンロード及び設定）しておいて、コマンドとなる音をその場の状況に応じて適宜選択することが出来るので、その場の状況や雰囲気に合わせた連係機能を選択出来る。更に、マスター端末からコマンドとして発生する音を、テーマ曲等のメロディや応援エール、掛け声等、携帯端末装置の連係動作に関係した音にすれば、雰囲気をより盛り上げる事が出来る。
【００４５】
以下に、本発明を様々に変形、応用した実施例を説明する。
（実施例１）
図４に示すように、複数のスレーブ端末を連係させて映像や文字のスクロール表示を実現することができる。スレーブ端末１ｂから１ｉを順番に並べ、マスター端末１ａから鳴動する音のタイミングをずらし、スレーブ端末１ｂから順番に動作するよう設定する。スレーブ端末１ｂにまず映像が表示され、順にスレーブ端末１ｃ、１ｄ、１ｅ、１ｆ、１ｇ、１ｈ、１ｉに次々と映像が表示されるよように設定しておくと、文字がスクロールしているように表示される。これを利用して映像のスクロール表示を行う。ここにメッセージや映像を表示させることによって、携帯端末装置で簡単なスクロール電光掲示板を実現できる。
（実施例２）
マスター端末１ａのマイク１４で予め物音や声を録音し、その録音データを音認識用のデータとして使用する事も出来る。まず、マスター端末１ａは内蔵されているマイク１４を使用し、物音や声を録音する。次に、録音した音データをウェブアクセス機能３１を用いてサーバ７１にアップロードする。サーバ７１では、スレーブ端末設定機能７２により、アップロードされた音データを音認識に使用できるデータに変換して設定データ７３に組み入れる。スレーブ端末１ｂはその設定データ７３データをダウンロードして保存し、音認識機能３２に設定して利用する。マスター端末１ａでは、マイク１４で録音したデータを再生することで、複数台のスレーブ端末１ｂの制御が可能となる。尚、マスター端末１ａは、マイク１４で録音した録音データではなく、サーバ７１が作成した音データ７４をダウンロードして再生するようにしても良い。
（実施例３）
音認識機能３２で音声認識を使用する。まず、マイク１４で録音した音声データをウェブアクセス機能３１を用いてサーバ７１にアップロードする。サーバ７１では、アップロードされた音声データを音声認識に使用できるデータに変換する。マスター端末１ａとスレーブ端末１ｂはそのデータをそれぞれダウンロードして利用する。マスター端末１ａでダウンロードしたデータによりスピーカー１５を鳴動させ、スレーブ端末１ｂのマイク１４でその音を拾ったときに、入力音声と音のモデルの類似度計算などにより音声認識を行い、音声がマッチングしているかどうかチェックする。音声認識の結果、マッチングしていた場合にスレーブ端末１ｂが所定動作を実行する。
（実施例４）
音認識機能３２でテキスト認識を用いる。まず、マスター端末１ａはウェブアクセス機能３１により認識する文字列をサーバ７１に登録する。ウェブアクセスの代わりに、メール機能を用いてメールをサーバ７１に送付することにより文字列を登録しても良い。サーバ７１では登録された文字列を音声データに変換し、この音声データをマスター端末１ａがダウンロードする。また、スレーブ端末１ｂは、このテキストデータをダウンロードする。マスター端末１ａのスピーカー１５を音声データにより鳴動させ、スレーブ端末１ｂはこれをマイク１４で拾う。スレーブ端末１ｂではその後、拾ったデータを音声認識にてテキスト化し、テキストがマッチングしているかどうかチェックし、マッチングしていた場合、スレーブ端末１ｂは所定動作を開始する。文字列としては、例えば、「おめでとう」、「カンパイ（乾杯）」等、任意のものに設定出来る。ここでマスター端末１ａが音声データをダウンロードすることは必須ではなく、マイク１４で録音したデータを使用したり、歌詞つきの音楽を使用したりすることが可能である。
（実施例５）
音認識機能３２でメロディ認識を使用する。マスター端末１ａは認識する曲名や曲のどの部分でスレーブ端末１ｂが動作するか、サーバ７１のスレーブ端末設定機能７２で設定する。曲名を決めた場合は曲の始まりを、曲の途中の部分の場合はその部分をそのメロディにあわせた波形データに変換する。この波形データをスレーブ端末１ｂがダウンロードする。連係動作実行時には、マスター端末１ａの着信音再生機能やメロディプレイヤー機能でその音楽を再生する。スレーブ端末１ｂはマイク１４で音楽を拾い、拾ったデータを波形データに変換する。ダウンロードした波形データと一致した場合、スレーブ端末１ｂは設定されていた動作を開始する。
【００４６】
尚、本発明は上述の実施形態のみに限定されるものではなく、本発明の要旨を逸脱しない範囲で種々変形して実施することが出来る。
【図面の簡単な説明】
【００４７】
【図１】本発明の一実施形態における携帯端末装置の主要構成を示すブロック図である。
【図２】本発明の一実施形態におけるシステム構成図である。
【図３】本発明の一実施形態における動作を示すフローチャートである。
【図４】本発明の一実施形態において、複数のスレーブ端末に映像スクロール表示の連係動作をさせた例を示す図である。
【符号の説明】
【００４８】
１    携帯端末装置
１ａ    マスター端末
１ｂ    スレーブ端末
１１    無線制御部
１２    キー入力部
１３    アンテナ
１４    マイク
１５    スピーカー
１６    カメラ
１７    ディスプレイ
１８    Ａ／Ｄコンバータ
１９    メモリ部
２０    中央処理装置
５０    無線基地局
６０    交換機
７１    サーバ
７２    スレーブ端末設定機能
７３    設定データ
７４    音データ
１００    ネットワーク
【図１】
2007228111.tif 000003
【図２】
2007228111.tif 000004
【図３】
2007228111.tif 000005
【図４】
2007228111.tif 000006